(57)【要約】      （修正有）【課題】耐用寿命の延長を図ることができる稲刈り機刃物構造の刃押えユニットを提供する。【解決手段】下ブレード座に、刃押えユニット１が設置された位置に対応して、複数の第１貫通孔２２が設けられ、複数の刃押えユニットと下ブレード座２との間に、上ブレード３１を有する上ブレード座３が挟まれ、また、上下ブレード座をレールとし、稲刈り機の動力によって引き座が駆動される様に刃押えユニット１を構成する。さらに、底板１１に、第２貫通孔１１１をが形成し、下ブレード座の上端面に設置し、仕切り板１２に、第３貫通孔１２１を形成し、底板１１と接する側に、上ブレード座の第１シューａを形成する。押え板１３は、第４貫通孔１３１を有し、仕切り板の上端面に設置され、また、押え板の前段の内側に、第２シューｂがあり、固定部材１４は、第５貫通孔１４１を有し、複数の貫通孔に貫通するロック素子１５が設けられ、また、第１シューに、上ブレード座の後縁が嵌合され、上記第２シューに、上ブレード座の前縁が嵌合される。【選択図】図３
0003164786.tif 000002
【実用新案登録請求の範囲】
【請求項１】
下ブレードを有する下ブレード座の上方に複数に組立てられ、上記下ブレード座に、刃押えユニットが設置された位置に対応して、複数の第１貫通孔が設けられ、複数の刃押えユニットと下ブレード座との間に、上ブレードを有する上ブレード座が挟められ、また、上下ブレード座をレールとし、稲刈り機の動力によって引き座が駆動される刃押えユニットであって、
下ブレード座の上端面に設置された板体であって、複数の第２貫通孔が設けられる底板と、
底板の上端面に設置された板体であって、複数の第３貫通孔が設けられ、底板と接する側において、上ブレード座の第１シューが形成される仕切り板と、
仕切り板の上端面に設置された板体であって、その後段に、複数の第４貫通孔が設けられ、前段の内側に、上ブレード座の第２シューが形成される押え板と、
直立段端が底板の上方に抵当し、横段端が押え板の上方に抵当する¬状板体であって、横段に、第５貫通孔が形成される固定部材と、
順に、第１貫通孔と第２貫通孔、第３貫通孔、第４貫通孔及び第５貫通孔に貫通して、ワッシャとナットが螺合されるロック素子と、
が含有される、
ことを特徴とする稲刈り機刃物構造の刃押えユニット。
【請求項２】
固定部材が、¬状板体であることを特徴とする請求項１に記載の稲刈り機刃物構造の刃押えユニット。
【請求項３】
固定部材の第５貫通孔が、長い貫通孔であることを特徴とする請求項１に記載の稲刈り機刃物構造の刃押えユニット。
【考案の詳細な説明】
【技術分野】
【０００１】
本考案は、稲刈り機刃物構造の刃押えユニットに関し、特に、押え板の前段において、内側に、上ブレード座の第２シューが形成され、底板と仕切り板と接する箇所の内側に、上ブレード座の第１シューが形成され、上ブレード座と上ブレードが、稲刈り機により動力駆動されて引き座が移動された時、その上ブレードの上面が、シューの摩擦により、少しずつ薄くなることなく、上ブレードの耐用寿命が向上されるものに関する。
【背景技術】
【０００２】
従来の稲刈り機刃物構造は、列になって下ブレード座の上面に設けられる複数の下ブレードがあって、各下ブレードに、前方へ突出する二つの交差する刃部がある下ブレード座と、下ブレードの上面に設置され、下ブレード座から前方へ突出して、二つの交差するの刃部がある複数の上ブレードと、各上ブレードの上面において、後端縁に、設置される上ブレード座と、稲刈り機により連動されて、上ブレード座に設置された引き座と、上ブレード座の正面において、上ブレードに載せるように前押え長尺があり、また、上ブレード座の裏面に、空を飛ぶように後押え長尺があり、その後押え長尺の両端縁と下ブレード座との間に、それぞれ、ワッシャセットが設置され、また、後押え長尺の両端縁と前押え長尺の上面との間に、ブリッジ板が跨られ、上記ブリッジ板と後押え長尺、ワッシャセット及び下ブレード座が、固定ボルトにより、一体にロックされ、両ブリッジ板の上面に、それぞれ、押え板が重ね合われ、その押え板の後端に、下ブレード座に抵当する支持段があり、上記押え板とブリッジ板、後押え長尺、ワッシャセット及び下ブレード座が、調整可能ボルトにより、一体にロックされ、押え板が、ブリッジ板により、確実に前押え長尺を押えることができ、また、常に上記上、下ブレードの間の締まり力を調整できるロック單元と、が含有される。
【０００３】
上記の従来の稲刈り機刃物構造によれば、次の問題点が残されている。
【０００４】
１、上記上ブレード座と前押え長尺との間に、隙間があるため、刃物構造は、作業する時、刃部の裏側に、土が堆積される問題があり、上ブレード座と前押え長尺との間に、土が堆積されると、上ブレード座が、稲刈り機に動力駆動される引き座によって変位される時、抵抗や騒音（上記引き座と上ブレード座とが一体になって、受稲刈り機によって動力駆動されて変位される）が発生し、また、上ブレード座の作動順調性が、大幅に低減されて、磨耗の問題が発生し、また、部材が容易に緩めるため、上記上、下ブレードの接触面が、密着できず、挟みの効果が低下され、稲茎を刈ることができない問題があって、稲刈り機の稲刈り効率と品質が低下される。
【０００５】
２、上記上ブレード座は、長くて細い板体であるため、上ブレード座が引き座に連動されて所定の時間を経つと、作動順調性が悪くなって、応力が集中する問題がある。
【０００６】
３、上ブレードの上面が、前押え長尺の底面に密着するため、上ブレードが、上ブレード座とともに、引き座に連動されて所定の時間に、変位すると、その上ブレードの上面と前押え長尺とが、長期に摩擦するため、薄くなって隙間が発生し、最後に、上ブレードが断裂する問題がある。
【０００７】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００８】
本考案は、上ブレード座と押え板の前段との間に、隙間がある問題を解決でき、隙間が存在しないと、上ブレードに堆積された土の問題も解決され、そのため、上ブレード座が引き座に連動される時の変位抵抗や騒音が低減され、また、上ブレード座の作動順調性が大幅に向上され、確実に上ブレードの磨耗による薄くなる問題を解決できる刃押えユニットを提供する。
【０００９】
本考案は、上ブレード座の幅を増大して、幅が倍になった上ブレード座が、応力集中による問題によって断裂や損害することのない刃押えユニットを提供する。
【００１０】
本考案は、上ブレードと上ブレード座とが結合されて、押え長尺の前方にある第２レールに密着せず、上ブレードが、上ブレード座とともに、引き座によって連動されて変位する場合、上ブレードの上面が、摩擦によって薄くなって隙間が発生する問題を解決でき、上ブレードの耐用寿命が向上される刃押えユニットを提供する。
【００１１】
本考案は、上ブレード座の作動順調性が向上され、部材の弛めや騒音の問題を解決できる刃押えユニットを提供する。
【００１２】
本考案は、刃物構造の部品が確実に結合されるため、緩めることなく、上、下ブレードの接触面が密着して、確実に、挟み効果が得られ、上記挟み効果により、稲刈り過程中、スムーズに稲茎を刈ることができ、稲刈り機の稲刈り効率や品質が向上される刃押えユニットを提供する。
【課題を解決するための手段】
【００１３】
請求項１の考案は、下ブレードを有する下ブレード座の上方に複数に組立てられ、上記下ブレード座に、刃押えユニットが設置された位置に対応して、複数の第１貫通孔が設けられ、複数の刃押えユニットと下ブレード座との間に、上ブレードを有する上ブレード座が挟められ、また、上下ブレード座をレールとし、稲刈り機の動力によって引き座が駆動される刃押えユニットであって、下ブレード座の上端面に設置された板体であって、複数の第２貫通孔が設けられる底板と、底板の上端面に設置された板体であって、複数の第３貫通孔が設けられ、底板と接する側において、上ブレード座の第１シューが形成される仕切り板と、仕切り板の上端面に設置された板体であって、その後段に、複数の第４貫通孔が設けられ、前段の内側に、上ブレード座の第２シューが形成される押え板と、直立段端が底板の上方に抵当し、横段端が押え板の上方に抵当する¬状板体であって、横段に、第５貫通孔が形成される固定部材と、順に、第１貫通孔と第２貫通孔、第３貫通孔、第４貫通孔及び第５貫通孔に貫通して、ワッシャとナットが螺合されるロック素子と、が含有される、ことを特徴とする稲刈り機刃物構造の刃押えユニットである。
【００１４】
請求項２の考案は、固定部材が、¬状板体であることを特徴とする請求項１に記載の稲刈り機刃物構造の刃押えユニットである。
【００１５】
請求項３の考案は、固定部材の第５貫通孔が、長い貫通孔であることを特徴とする請求項１に記載の稲刈り機刃物構造の刃押えユニットである。
【００１６】
以下、図面を参照しながら、本考案の特徴や技術内容について、詳しく説明するが、それらの図面等は、参考や説明のためであり、本考案は、それによって制限されることが無い。
【考案を実施するための形態】
【００１７】
本考案に係る稲刈り機刃物構造の刃押えユニット１（図１のように）は、下ブレード２１を有する下ブレード座２の上方に複数に組立てられ、上記下ブレード座２に、刃押えユニットが設置された位置に対応して、複数の第１貫通孔２２が設けられ、複数の刃押えユニット１と下ブレード座２との間に、上ブレード３１を有する上ブレード座３が挟まれ、また、上下ブレード座をレールとし、稲刈り機の動力によって引き座３２が駆動されて変位し（その中、引き座３２と上ブレード座３とが一体にされ、稲刈り機の動力駆動により変位する）刃押えユニット１であって、下ブレード座２の上端面に設置された板体であって、複数の第２貫通孔１１１が設けられる底板１１（図３のように）と、底板１１の上端面に設置された板体であって、複数の第３貫通孔１２１が設けられ、底板１１と接する側において、上ブレード座３の第１シューａが形成される仕切り板１２（図２と図３のように）と、仕切り板１２の上端面に設置された板体であって、その後段に、複数の第４貫通孔１３１が設けられ、前段の内側に、上ブレード座３の第２シューｂが形成される押え板１３（図２と図３のように）と、直立段端が底板１１の上方に抵当し、横段端が押え板１３の上方に抵当する¬状板体であって、横段に、長い貫通孔（図３のように）である第５貫通孔１４１が形成される固定部材１４（図２と図３のように）と、順に、第１貫通孔２２と第２貫通孔１１１、第３貫通孔１２１、第４貫通孔１３１及び第５貫通孔１４１に貫通して、ワッシャ１６とナット１７が螺合されるロック素子１５と、含有される。
【００１８】
本考案によれば、本考案に係る刃押えユニット１の押え板１３において、前段の内側に、上ブレード座３の第２シューｂが設けられ、仕切り板１２の底板１１側に、上ブレード座３の第１シューａが設けられ、第１シューａに、上ブレード座３の後縁が嵌合され、上記第２シューｂに、上ブレード座３の前縁が嵌合される（図２のように）。
【００１９】
上ブレード座３と上ブレード３１とは、稲刈り機により動力駆動された引き座３２により変位する場合、その上ブレード３１の上面において、上記刃押えユニット１のシューが、接触摩擦により薄くなる問題を解決でき、上ブレード３１の耐用寿命が向上される。
【００２０】
そのため、本考案は、より進歩的かつより実用的で、法に従って実用新案登録請求を出願する。
【００２１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２２】
【図１】本考案の刃物構造に組立てられる時の外観図
【図２】本考案の部材が組立てられる時のＡ−Ａ断面図
【図３】本考案の部材分解図
【符号の説明】
【００２３】
１  刃押えユニット
１１  底板
１１１  第２貫通孔
１２  仕切り板
１２１  第３貫通孔
１３  押え板
１３１  第４貫通孔
１４  固定部材
１４１  第５貫通孔
１５  ロック素子
１６  ワッシャ
１７  ナット
２  下ブレード座
２１  下ブレード
２２  第１貫通孔
３  上ブレード座
３１  上ブレード
３２  引き座
ａ  第１シュー
ｂ  第２シュー
【図１】
0003164786.tif 000003
【図２】
0003164786.tif 000004
【図３】
0003164786.tif 000005